(57)【要約】【課題】洗濯物を十分に撹拌すること。【解決手段】洗濯液を貯める外槽２と、外槽２の内側に設けられ、洗濯物を収容する内槽４と、内槽４の下方に設けられ、回転中心５を中心に回転することで洗濯物及び洗濯液を撹拌する撹拌翼６と、撹拌翼６を駆動する駆動部９と、を有する洗濯機１であって、撹拌翼６は、撹拌翼６の回転中心５と撹拌翼６の外周端部７との間に、突起形状に形成された撹拌突起８を有し、撹拌突起８は、撹拌翼６の回転中心５側から撹拌翼６の外周端部７側に向かって下向きに傾斜する下向き傾斜面２０と、下向き傾斜面２０より撹拌翼６の外周端部７側に設けられ、撹拌翼６の外周端部７側に向かって上向きに傾斜する上向き傾斜面２１と、を有する。【選択図】図２
2014233519.tif 000002
【特許請求の範囲】
【請求項１】
洗濯液を貯める外槽と、
前記外槽の内側に設けられ、洗濯物を収容する内槽と、
前記内槽の下方に設けられ、回転中心を中心に回転することで洗濯物及び洗濯液を撹拌する撹拌翼と、
前記撹拌翼を駆動する駆動部と、を有する洗濯機であって、
前記撹拌翼は、前記撹拌翼の回転中心と前記撹拌翼の外周端部との間に、突起形状に形成された撹拌突起を有し、
前記撹拌突起は、前記撹拌翼の回転中心側から前記撹拌翼の外周端部側に向かって下向きに傾斜する下向き傾斜面と、前記下向き傾斜面より前記撹拌翼の外周端部側に設けられ、前記撹拌翼の外周端部側に向かって上向きに傾斜する上向き傾斜面と、を有する、
ことを特徴とする洗濯機。
【請求項２】
前記撹拌突起は、上面視において、前記撹拌翼の回転中心側から前記撹拌翼の外周端部側に向かって直線状に延びる撹拌突起直線部と、前記撹拌突起直線部よりも前記撹拌翼の外周端部側に設けられ、前記撹拌突起直線部に対して撹拌翼の回転方向に屈曲して延びる撹拌突起屈曲部と、を有し、
前記撹拌突起屈曲部の前記撹拌翼の回転中心側の端部は、前記上向き傾斜面の前記撹拌翼の回転中心側の端部よりも、前記撹拌翼の外周端部側に設けられている、
ことを特徴とする請求項１に記載の洗濯機。
【発明の詳細な説明】
【技術分野】
【０００１】
本発明は、洗濯機に関するものである。
【背景技術】
【０００２】
従来の洗濯機は、図５に示される（例えば、特許文献１参照）。図５に示される洗濯機１０１は、洗濯液を貯める外槽１０２と、外槽１０２の内側に設けられ、洗濯物を収容する内槽１０４と、内槽１０４の下方に設けられ、回転中心１０５を中心に回転することで洗濯物及び洗濯液を撹拌する撹拌翼１０６と、撹拌翼１０６を駆動する駆動部１０９と、を有する。撹拌翼１０６は、撹拌翼１０６の回転中心１０５と撹拌翼１０６の外周端部１０７とを結ぶように突起形状に形成された撹拌突起１０８を有する。撹拌突起１０８は、次の形状となっている。回転中心１０５側においては、撹拌突起１０８の高さは、一定の高さとなっている。外周端部１０７側においては、撹拌突起１０８の高さは、外周端部１０７側に向かうにつれて、高くなるようになっている。
【先行技術文献】
【特許文献】
【０００３】
【特許文献１】特開２００２−１０２５８７号公報
【発明の概要】
【発明が解決しようとする課題】
【０００４】
しかしながら、従来の洗濯機１０１においては、次の課題があった。外周端部１０７側に対して回転中心１０５側の撹拌突起の高さは低くなっているため、回転中心１０５側においては、撹拌突起１０８は十分な高さを確保することができない。そのため、回転中心１０５側においては、洗濯物は撹拌突起１０８と接触しにくく、洗濯物は撹拌翼１０６の上に張り付きやすい。その結果、洗濯物は十分に撹拌されない。
【０００５】
一方、回転中心１０５から外周端部１０７までの撹拌突起１０８の高さを一定に形成することで、回転中心１０５側の撹拌突起１０８の高さを確保することも考えられる。しかしながら、このような場合においては、洗濯物は、一定の高さの撹拌突起１０８に接触するので、洗濯物は似た動きをし、十分に撹拌されない。
【０００６】
本発明は、上記課題を解決するものであり、洗濯物を十分に撹拌することができる洗濯機を提供することを目的とする。
【課題を解決するための手段】
【０００７】
前記従来の課題を解決するために、本発明の洗濯機において、撹拌翼は、撹拌翼の回転中心と撹拌翼の外周端部との間に、突起形状に形成された撹拌突起を有し、撹拌突起は、撹拌翼の回転中心側から撹拌翼の外周端部側に向かって下向きに傾斜する下向き傾斜面と、下向き傾斜面より撹拌翼の外周端部側に設けられ、撹拌翼の外周端部側に向かって上向きに傾斜する上向き傾斜面と、を有するようにしたものである。
【０００８】
この構成により、撹拌突起は、回転中心側においても十分な高さを確保することができるので、遠心力が弱い内側においても、洗濯物を十分に撹拌できる。さらに、撹拌突起の高さが変化するように形成したので、撹拌時の洗濯物の動きが異なり、洗濯物を十分に撹拌できる。
【発明の効果】
【０００９】
本発明の洗濯機は、洗濯物を十分に撹拌することができる。
【図面の簡単な説明】
【００１０】
【図１】本発明の実施の形態１における洗濯機の断面図
【図２】本発明の実施の形態１における撹拌翼の斜視図
【図３】本発明の実施の形態１における撹拌翼の上面図
【図４】図３に示すＡ−Ａ線の断面図
【図５】従来の洗濯機の断面図
【発明を実施するための形態】
【００１１】
第１の発明は、洗濯液を貯める外槽と、外槽の内側に設けられ、洗濯物を収容する内槽と、内槽の下方に設けられ、回転中心を中心に回転することで洗濯物及び洗濯液を撹拌する撹拌翼と、撹拌翼を駆動する駆動部と、を有する洗濯機であって、撹拌翼は、撹拌翼の回転中心と撹拌翼の外周端部との間に、突起形状に形成された撹拌突起を有し、撹拌突起は、撹拌翼の回転中心側から撹拌翼の外周端部側に向かって下向きに傾斜する下向き傾斜面と、下向き傾斜面より撹拌翼の外周端部側に設けられ撹拌翼の外周端部側に向かって上向きに傾斜する上向き傾斜面と、を有することを特徴とする洗濯機。
【００１２】
第２の発明は、撹拌突起は、上面視において、撹拌翼の回転中心側から撹拌翼の外周端部側に向かって直線状に延びる撹拌突起直線部と、撹拌突起直線部よりも撹拌翼の外周端部側に設けられ、撹拌突起直線部に対して撹拌翼の回転方向に屈曲して延びる撹拌突起屈曲部と、を有し、撹拌突起屈曲部の撹拌翼の回転中心側の端部は、上向き傾斜面の撹拌翼の回転中心側の端部よりも、撹拌翼の外周端部側に設けられていることを特徴とする洗濯機。
【００１３】
以下、本発明の実施の形態について、図面を参照しながら説明する。なお、この実施の形態によって本発明が限定されるものではない。
【００１４】
まず、図１に基づいて、洗濯機の全体構成を説明する。図１は、本発明の第１の実施の形態における洗濯機の断面図を示すものである。
【００１５】
図１において、洗濯機１は、乾燥機能を有する洗濯乾燥機である。外槽２は、サスペンション３によって、支持されている。外槽２の内側には、内槽４が設けられている。内槽４は、その側壁に複数の脱水穴（図示せず）を有している。内槽４の内側下方には、回転中心５を中心に回転する撹拌翼６が設けられている。撹拌翼６は、回転中心５と撹拌翼６の外周端部７とを繋ぐように構成されている撹拌突起８を有する。撹拌翼６は、洗濯物及び洗濯液を撹拌する役割を果たす。外槽２の外側の下方には、駆動部９が設けられている。駆動部９は、撹拌翼６を回転させる。駆動部９は、制御部１０によって制御される。制御部１０は、駆動部９だけでなく、給水弁１１、排水弁１２、ヒーター１３及び送風ファン１４の制御を行う。制御部１０は、洗い、すすぎ、脱水及び乾燥の一連の行程を制御する機能を有する。送風ファン１４は、ヒーター１３によって加熱された空気を、ダクト１５を介して内槽４に送る。加熱された空気は、内槽４を通過した後は、熱循環経路１６を通過して循環する。
【００１６】
次に、図２、図３及び図４に基づいて、撹拌翼６の構成について説明する。
【００１７】
図２は、撹拌翼６の斜視図である。図２に示すように、撹拌翼６は、円形のボール（ｂｏｗｌ）状である。撹拌翼６は、その略中心に回転中心５を有しており、回転中心５から外周端部７に向かって放射状に延びる３本の撹拌突起８（８ａ、８ｂ、８ｃ）を有している。さらに、撹拌翼６は、回転中心５の周囲に、撹拌突起８の強度を補強する補強部１７
を有する。補強部１７は、撹拌翼６の底面側に行くほど広がる山形状となっている。
【００１８】
図３は、撹拌翼６の上面図である。図３に示すように、上面視において、撹拌突起８は、回転中心５側から外周端部７側に向かって直線状に延びる撹拌突起直線部１８（１８ａ、１８ｂ、１８ｃ）と、撹拌突起直線部１８に対して撹拌翼６の回転方向に屈曲して直線状に延びる撹拌突起屈曲部１９（１９ａ、１９ｂ、１９ｃ）とを有する。撹拌突起直線部１８は、撹拌突起屈曲部１９よりも長い。撹拌突起直線部１８は、撹拌突起屈曲部１９よりも回転中心５側に設けられている。言い換えると、撹拌突起屈曲部１９は、屈曲突起直線部１８よりも外周端部７側に設けられている。このように、撹拌突起屈曲部１９は撹拌突起直線部１８に対して屈曲しているので、撹拌時において、撹拌突起接触部１８に接触する洗濯物と撹拌突起屈曲部１９に接触する洗濯物とでは、異なる方向に洗濯物が動くので、洗濯物は撹拌されやすくなる。
【００１９】
図４は、図３に示すＡ−Ａ線の断面図である。すなわち、図４は、回転中心５から外周端部７までの撹拌突起８の垂直方向の断面図である。図４に示すように、撹拌突起８は、回転中心５側から外周端部７側に向かって下向きに傾斜する下向き傾斜面２０と、下向き傾斜面２０より外周端部７側に設けられ、外周端部７側に向かって上向きに傾斜する上向き傾斜面２１とを有する。さらに、撹拌突起８は、上向き傾斜面２１よりも、さらに外周端部７側に、外周端部７側に向かって下向きに傾斜する第二下向き傾斜面２２を有する。
【００２０】
下向き傾斜面２０は、撹拌突起８の最低上面位置Ｌまで、なだらかに下向きに傾斜している。一方、上向き傾斜面２１は、撹拌突起８の最低上面位置Ｌから、なだらかに上向きに傾斜している。下向き傾斜面２０の傾斜角度と、上向き傾斜面２１の傾斜角度とは、略同じ角度になっている。下向き傾斜面２０の最高位置と、上向き傾斜面２１の最高位置とは略同じ高になっている。撹拌突起８の最低上面位置Ｌから下向き傾斜面２０の最高位置までの距離と、撹拌突起８の最低上面位置Ｌから上向き傾斜面２１の最高位置までの距離とは略同じになっている。そのため、下向き傾斜面２０と上向き傾斜面２１とを合わせると、全体としてＵ字状の傾斜となっている。
【００２１】
第二下向き傾斜面２２は、上向き傾斜面２１の最高位置から外周端部７に向かって、下向きに傾斜している。第二下向き傾斜面２２の傾斜角度は、下向き傾斜面２０及び上向き傾斜面２１よりも急勾配になっている。
【００２２】
次に、図３と図４とを関連付けて説明する。撹拌突起屈曲部１９の撹拌翼６の回転中心５側の端部は、上向き傾斜面２１の撹拌翼６の回転中心５側の端部よりも、撹拌翼６の外周端部７側に設けられている。つまり、撹拌突起８の最低上面位置Ｌは、撹拌突起屈曲部１９よりも回転中心５側に位置している。このように構成することで、洗濯物をより十分に撹拌できる。より詳細に説明すると、撹拌突起直線部１８は、回転中心５側においては下向き傾斜面２０を有し、外周端部７側においては上向き傾斜面２１を有する。一方、撹拌突起屈曲部１９は、回転中心５側においては、上向き傾斜面２１を有し、外周端部７側においては第二下向き傾斜面２２を有する。
【００２３】
以上のように構成された洗濯機１について、以下その作用を説明する。
【００２４】
本実施の形態においては、撹拌突起８は、撹拌翼６の回転中心５側から撹拌翼６の外周端部７側に向かって下向きに傾斜する下向き傾斜面２０と、下向き傾斜面２０より撹拌翼６の外周端部７側に設けられ、撹拌翼６の外周端部７側に向かって上向きに傾斜する上向き傾斜面２１と、を有することにより、撹拌突起８は、回転中心５側においても十分な高さを確保することができるので、洗濯物を十分に撹拌できる。さらに、撹拌突起８の高さが変化するように形成したので、撹拌時の洗濯物の動きが異なり、洗濯物を十分に撹拌で
きる。
【００２５】
さらに、本実施の形態においては、撹拌突起屈曲部１９の撹拌翼６の回転中心５側の端部は、上向き傾斜面２１の撹拌翼６の回転中心５側の端部よりも、撹拌翼６の外周端部７側に設けられているので、洗濯物をより十分に撹拌できる。
【産業上の利用可能性】
【００２６】
以上のように、本発明は、洗濯物を十分に撹拌することができる作用を有するため、洗濯機として有用である。
【符号の説明】
【００２７】
１  洗濯機
２  外槽
４  内槽
５  回転中心
６  撹拌翼
７  外周端部
８  撹拌突起
９  駆動部
１８  撹拌突起直線部
１９  撹拌突起屈曲部
２０  下向き傾斜面
２１  上向き傾斜面
【図１】
2014233519.tif 000003
【図２】
2014233519.tif 000004
【図３】
2014233519.tif 000005
【図４】
2014233519.tif 000006
【図５】
2014233519.tif 000007